【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
医療用液体を導く接続アセンブリであって、
医療用液体を中に通して送達することができるコネクタ（１１）と、
コネクタ（１１）に取付け可能な取付け部品（２）であって、医療用液体を前記コネクタ（１１）に通して送達するように送達装置（５）に接続することができる、取付け部品（２）と、
前記コネクタ（１１、１２）と前記取付け部品（２）との間の遷移部をシールするシール要素（４）であって、前記取付け部品（２）が前記コネクタ（１１）に取り付けられた場合、該シール要素（４）は、前記取付け部品（２）と前記コネクタ（１１）との間に保持されるようになっており、該シール要素（４）は、シール頭部（４０）を有し、該シール頭部（４０）は、前記取付け部品（２）が前記コネクタ（１１）に取り付けられた場合、前記取付け部品（２）の開口（２１０）を液体が通過しないようシールし、該シール要素（４）は、前記シール頭部（４０）につながっている胴部（４２）を有し、該胴部（４２）は、前記取付け部品（２）から径方向距離を有して前記開口（２１０）内に配置することができ、該シール要素（４）の内部スペースには、該シール要素（４）の開通を補助することを意図された突端部を有する物体が存在しない、シール要素（４）と、
を備え、前記シール要素（４）は、
前記シール頭部（４０）と前記胴部（４２）との間の遷移部において、挿入方向（Ｅ）に対して径方向に前記シール頭部（４０）を越えて突出する肩部（４１０）であって、前記挿入方向（Ｅ）に沿って、前記取付け部品（２）の前記開口（２１０）内の接触表面（２１２）に接触することができる、肩部（４１０）と、
前記挿入方向（Ｅ）に沿って前記肩部（４１０）からは離れて、該シール要素（４）の前記胴部（４２）に対して径方向外方に突出するフランジ（４２０）であって、該フランジ（４２０）は、前記コネクタ（１１）に取り付けられた前記取付け部品（２）によって、前記取付け部品（２）と前記コネクタ（１１）との間に保持され、該フランジ（４２０）は、下面（４２２）が、前記コネクタ（１１）の支持表面（１１４）に当接し、上面（４２１）が、少なくとも部分的に露出するようになっている、フランジ（４２０）と、
前記挿入方向（Ｅ）に沿って軸方向に見た場合、前記フランジ（４２０）の下で前記胴部（４２）に接合するとともに、前記取付け部品（２）が前記コネクタ（１１）に取り付けられた場合、前記コネクタ（１１）の対応する凹部（１１３）に係合する、足部セクション（４３）と、
を有することを特徴とする、接続アセンブリ。
【請求項２】
前記シール要素（４）は、前記取付け部品（２）が前記コネクタ（１１）に取り付けられた場合、前記コネクタ（１１）とは反対に向いた面（４００）が、凸状又は平坦であることを特徴とする、請求項１に記載の接続アセンブリ。
【請求項３】
前記シール頭部（４０）は、前記凸面又は平坦面（４００）を有することを特徴とする、請求項２に記載の接続アセンブリ。
【請求項４】
前記フランジ（４２０）は、前記胴部（４２）の、前記シール頭部（４０）とは反対に向いた端部に位置することを特徴とする、請求項１〜３のいずれか１項に記載の接続アセンブリ。
【請求項５】
前記フランジ（４２０）は、前記取付け部品（２）が前記コネクタ（１１）に取り付けられた場合、前記コネクタ（１１）の接触表面（１１４）と、前記取付け部品（２）の前記開口（２１０）内に径方向内方に延在する環状突出部（２１１）等の突出部（２１１）との間に部分的にクランプされることを特徴とする、請求項１〜４のいずれか１項に記載の接続アセンブリ。
【請求項６】
前記挿入方向（Ｅ）に沿って軸方向に見た場合、前記肩部（４１０）へと遷移する好ましくは円筒形のセクション（４１）が、前記シール頭部（４０）につながっており、前記肩部（４１０）は、外側に向かって前記セクション（４１）を越えて径方向に突出することを特徴とする、請求項１〜５のいずれか１項に記載の接続アセンブリ。
【請求項７】
前記挿入方向（Ｅ）に沿って軸方向に見た場合、前記好ましくは円筒形の胴部（４２）は、前記肩部（４１０）につながっており、該肩部（４１０）は、外側に向かって前記胴部（４２）を越えて径方向に突出することを特徴とする、請求項１〜６のいずれか１項に記載の接続アセンブリ。
【請求項８】
前記胴部（４２）は、外面に凹部（４２３）を有し、該凹部（４２３）は、好ましくは、前記フランジ（４２０）への遷移部における段部によってもたらされることを特徴とする、請求項１〜７のいずれか１項に記載の接続アセンブリ。
【請求項９】
前記シール要素（４）は、スロット開口（４５）を有し、該スロット開口（４５）は、前記コネクタ（１１）に取り付けられた前記取付け部品（２）において液体が通過しないよう閉鎖されており、前記取付け部品（２）に対する前記送達装置（５）の接続によって開通することができ、それにより、医療用液体を前記スロット開口（４５）に通して送達することができることを特徴とする、請求項１〜８のいずれか１項に記載の接続アセンブリ。
【請求項１０】
前記取付け部品（２）は、
前記開口（２１０）が形成されている第１のセクション（２１、２２）と、
初期状態において、前記第１のセクション（２１、２２）につながっており、送達装置（５）を前記取付け部品（２）に接続するために、前記第１のセクション（２１、２２）から除去することができる、取外し可能な部分（２０）と、
を有することを特徴とする、請求項１〜９のいずれか１項に記載の接続アセンブリ。
【請求項１１】
前記第１のセクション（２１、２２）は、前記コネクタ（１１）に取り付けることができる接続セクション（２１）と、好ましくは少なくとも半ねじ（２２０）を有する、前記接続セクション（２１）に取り付けられたねじ部（２２）とを介して、前記送達装置（５）に対するねじ接続を形成するように形成され、前記取外し可能な部分（２０）は、初期状態において、前記ねじ部（２２）につながっており、前記送達装置（５）を前記取付け部品（２）に接続するために、前記ねじ部（２２）から除去することができることを特徴とする、請求項１０に記載の接続アセンブリ。
【請求項１２】
前記ねじ部（２２）及び前記取外し可能な部分（２０）は、単一ピースとして形成され、前記ねじ部（２２）と前記取外し可能な部分（２０）との間には、前記ねじ部（２２）から前記取外し可能な部分（２０）を取り外すために、所定の破断点（２００）が形成されていることを特徴とする、請求項１１に記載の接続アセンブリ。
【請求項１３】
前記シール要素（４）は、前記ねじ部（２２）の係合開口（２２１）に挿入されることを特徴とする、請求項１１又は１２に記載の接続アセンブリ。
【請求項１４】
前記シール要素（４）は、前記取外し可能な部分が前記ねじ部（２２）から除去された場合、外側に向かって前記ねじ部（２２）の上面（２２２）を越えて突出するか、又は前記ねじ部（２２）の前記上面（２２２）と実質的に同一平面で終端することを特徴とする、請求項１１〜１３のいずれか１項に記載の接続アセンブリ。
【請求項１５】
前記コネクタ（１１）は、前記取付け部品（２）が前記コネクタ（１１）に取り付けられた場合、頭部（１１０）によって、前記取付け部品（２）の前記開口（２１０）に係合すること、及び／又は、前記頭部（１１０）上には、前記挿入方向（Ｅ）の周りに延在するポジティブロック要素（１１５）が配置され、該ポジティブロック要素（１１５）は、取付け部品（２）が前記コネクタ（１１）に取り付けられた場合、前記取付け部品（２）を前記コネクタ（１１）に対して軸方向に固定するように、前記取付け部品（２）とポジティブロック係合することを特徴とする、請求項１〜１４のいずれか１項に記載の接続アセンブリ。
【請求項１６】
前記取付け部品（２）を前記コネクタ（１１）に対して回転固定するために、前記挿入方向（Ｅ）に対して平行に延在する少なくとも１つのウェブ（１１６）及び／又は前記挿入方向（Ｅ）に対して平行に延在する少なくとも１つの溝（１１７）が、前記頭部（１１０）上に配置されることを特徴とする、請求項１５に記載の接続アセンブリ。
【請求項１７】
シール頭部（４０）と、前記シール頭部（４０）に隣接する胴部（４２）とを備える、請求項１〜１６のいずれか１項に記載の接続アセンブリのシール要素（４）であって、該シール要素（４）は、
前記シール頭部（４０）と前記胴部（４２）との間の遷移部において、挿入方向（Ｅ）に対して径方向に前記シール頭部（４０）を越えて突出する肩部（４１０）であって、前記挿入方向（Ｅ）に沿って、前記コネクタ（２）の前記開口（２１０）内の接触表面（２１２）に接触することができる、肩部（４１０）と、
前記挿入方向（Ｅ）に沿って前記肩部（４１０）からは離れて、該シール要素（４）の前記胴部（４２）に対して径方向外方に突出するフランジ（４２０）であって、該フランジ（４２０）は、下面（４２２）が、前記コネクタ（１１）の支持表面（１１４）に当接し、上面（４２１）が、少なくとも部分的に露出する、フランジ（４２０）と、
前記挿入方向（Ｅ）において軸方向に見た場合、前記フランジ（４２０）の下で前記胴部（４２）に接合するとともに、前記取付け部品（２）が前記コネクタ（１１）に取り付けられた場合、前記コネクタ（１１）の対応する凹部（１１３）に係合する、足部セクション（４３）と、
前記足部セクション（４３）から始まって前記シール頭部（４０）に抜けるように前記胴部（４２）を貫通する、内側開口（４４）とを、
を有する、シール要素。
【請求項１８】
請求項１〜１６のいずれか１項に記載の接続アセンブリを備えるか、又は請求項１７に記載のシール要素（４）と、前記取付け部品（２）に接続する接続ピース（５１）を有する送達装置（５）とを備える構成体であって、前記接続ピース（５１）は、前記送達装置（５）が前記取付け部品（２）に接続された場合、前記シール要素（４）の前記スロット開口（４５）に挿通する、構成体。